(57)【特許請求の範囲】
【請求項１】
水蒸気と重質石油炭化水素とを接触熱分解反応器に導入するためのフィードノズルアセンブリにおいて：
（ａ）気体導管を規定する円筒状の内側チューブと内側チューブの周囲に配置された外側チューブとを備え、内側チューブの外表面と外側チューブの内表面とが環状液体導管を規定すると共に、各チューブが入口端部および反対側の出口端部を備えるノズル本体と；
（ｂ）内側チューブの出口端部に取付けられた円筒状の入口端部および反対側の少なくとも１個の通路を設けたドーム形状の出口端部を有する内側チューブの出口端部に固定された第１ノズル先端と；
（ｃ）外側チューブの出口端部に固定されると共に第１ノズル先端の周囲に配置された第２ノズル先端と
を備え、前記第２ノズル先端は外側チューブの出口端部に取付けられた円筒状の入口端部を備えると共に反対側のドーム形状の出口端部には平行な壁部を有する少なくとも１個の長形スリットを設け、第２ノズル先端のドーム形状の出口端部は第１ノズル先端のドーム形状の出口端部の上を覆うことを特徴とするフィードノズルアセンブリ。
【請求項２】
第１ノズル先端には少なくとも１列に配置された複数の通路を設け、ドーム形状の出口端部の中心から列の長さにわたり形成される角度が４５〜１２０°であり、さらに第２ノズル先端におけるドーム形状の出口端部の中心から長形スリットの長さにわたり形成される角度が第１ノズル先端におけるドーム形状の出口端部の中心から列の長さにわたり形成される角度と等しい請求の範囲第１項に記載のフィードノズル。
【請求項３】
ドーム形状の出口端部の中心から列の長さにわたり形成される角度が７５〜１０５°である請求の範囲第２項に記載のフィードノズル。
【請求項４】
第１ノズルにおける通路が２列もしくはそれ以上の列にて配置され、さらに第２ノズル先端の出口端部には２個もしくはそれ以上のスリットを設けてなる請求の範囲第２項または第３項に記載のフィードノズル。
【請求項５】
通路の列を通るように規定される平面が、内側チューブの中心長手軸線に対し平行である請求の範囲第２〜４項のいずれか一項に記載のフィードノズル。
【請求項６】
長形スリットを通るように規定される平面が、内側チューブの中心長手軸線に対し平行である請求の範囲第２〜４項のいずれか一項に記載のフィードノズル。
【請求項７】
通路の列を通るように規定される平面と内側チューブの中心長手軸線との間の角度が３〜６０°の範囲であり、さらに長形スリットを通るように規定される平面と内側チューブの中心長手軸線との間の角度が３〜６０°の範囲である請求の範囲第２〜４項のいずれか一項に記載のフィードノズル。
【請求項８】
通路の列を通るように規定される平面と内側チューブの中心長手軸線との間の角度が、長形スリットを通るように規定される平面と内側チューブの中心長手軸線との間の角度と等しい請求の範囲第７項に記載のフィードノズル。
【請求項９】
第１ノズル先端における通路が穴部よりなる請求の範囲第１〜８項のいずれか一項に記載のフィードノズル。
【請求項１０】
各列が複数の通路を備え、通路の個数が７〜１５個の範囲である請求の範囲第２〜９項のいずれか一項に記載のフィードノズルアセンブリ。
【請求項１１】
第２ノズル先端には、長形スリットおよび第２ノズル先端の出口端部の浸蝕感受性領域に耐浸蝕性材料よりなるオーバーレイを設けてなる請求の範囲第１〜１０項のいずれか一項に記載のフィードノズルアセンブリ。
【発明の詳細な説明】
本発明は、気体と液体とを容器中へ導入するための、特に水蒸気と炭化水素供給物とを接触熱分解反応器中へ導入するためのフィードノズルに関するものである。
多くの油精製および化学プラントの各装置は液体および／またはガス状供給物を装置へ分配されるためのノズルを用いる。或る種の装置において、ノズルが供給物を装置へ分配する能力は、この装置の生産性につき極めて重要である。たとえば接触熱分解装置は、原油中に存在する大連鎖の炭化水素分子をたとえばガソリン範囲の炭化水素およびディーゼル油のような一層小さくかつ一層貴重な市販製品まで熱分解する反応器である。典型的には減圧蒸留液をフィードノズルを介し逆流立上り反応管に導入し、ここで供給物を再生された微粒子固体触媒と接触させる。触媒は所望の熱分解反応を選択的に促進する。
反応器のピーク性能につき、ノズルは供給物を均一範囲および狭い液滴寸法分布を有する微細なスプレーにて分配することが重要である。この種のスプレーは供給物液滴の表面積を増大させると共に、触媒粒子との接触を容易化させる。しかしながら現存のノズルは、この所望の性能を達成するのが困難である。或る種のノズルは極めて小さい開口部または複雑な先端設計を使用し、供給物における各種の不純物によって容易に閉塞されるようになる。この種の閉塞を修復する際の停止持間および交換経費は極めて不利となる。現存のノズルは微細な液滴および／または所望のスプレーパターンを形成しえない。
したがって微細液滴の狭い分布、スプレーの薄い層および非閉塞傾向を達成しうるノズルを得ることが有利であろう。
この目的で、水蒸気と重質石油炭化水素とを接触熱分解反応器中へ導入するためのフィードノズルアセンブリは、本発明によれば：
（ａ）気体導管を規定する円筒状の内側チューブと内側チューブの周囲に配置された外側チューブとを備え、内側チューブの外表面と外側チューブの内表面とが環状液体導管を規定すると共に各チューブが入口端部および反対側の出口端部を備えるノズル本体と；
（ｂ）内側チューブの出口端部に取付けられた円筒状の入口端部をおよび反対側のドーム形状の出口端部（このドーム形状の出口端部には少なくとも１個の通路を設ける）有する内側チューブの出口端部に固定された第１ノズル先端と；
（ｃ）外側チューブの出口端部に固定されると共に第１ノズル先端の周囲に配置された第２ノズル先端と
を備え、前記第２ノズル先端が外側チューブの出口端部に取付けられた円筒状の入口端部を備えると共に、反対側のドーム形状の出口端部には平行な壁部を有する少なくとも１個の長形スリットを設け、第２ノズル先端のドーム形状の出口端部が第１ノズル先端のドーム形状の出口端部の上を覆うことを特徴とする。
以下、添付図面を参照して本発明を実施例により一層詳細に説明する。
第１図は本発明によるフィードノズルアセンブリの縦断面図であり；
第２図は第１図の尺度よりも大きい尺度で描いた本発明によるフィードノズルアセンブリの上端部の縦断面図であり；
第３図は第１図のＩＩＩ−ＩＩＩ線断面図であり；
第４Ａ、４Ｂおよび４Ｃ図は第１（「水蒸気」）ノズルにおけるドーム形状の出口端部の正面図、そのＩＶＢ−ＩＶＢ線断面図およびＩＶＣ−ＩＶＣ線断面図であり；
第５Ａ、５Ｂおよび５Ｃ図は第２（「供給物」）ノズルにおけるドーム形状の出口端部の正面図、その第ＶＢ−ＶＢ線断面図およびＶＣ−ＶＣ線断面図であり；
第６図は第５Ａ図に示した代案ドーム形状の出口端部の正面図であり；
第７図は異なる尺度にて描いた第４Ｂ図に示した第１ノズルにおける代案ドーム形状の出口端部の断面図であり；
第８図は異なる尺度で描いた第５Ｂ図に示した第２ノズルにおけるドーム形状の出口端部の代案の断面図を示し；
第９図は尺度なしに描いた側部導入反応器配置の部分断面縦断面図であり；
第１０Ａおよび１０Ｂ図はヨーロッパ特許出願公開第４２３  ８７６号からの公知ノズルを示す。
第１、２および３図を参照して本発明の実施例を示す。気体（たとえば水蒸気）と液体（たとえば重質石油炭化水素）とを容器（図示せず）、たとえば接触熱分解反応器中へ導入するためのフィードノズルアセンブリ１００は、気体導管１０６を規定する実質的に円筒状の内側チューブ１０５および内側チューブ１０５の周囲に配置された外側チューブ１１５を有するノズル本体１０１を備え、内側チューブ１０５の外表面と外側チューブ１１５の内表面とは環状の液体導管１１６を規定する。内側チューブ１０５は入口端部１２０および反対側の出口端部１３０を備えると共に、外側チューブ１１５は入口端部１２５および反対側の出口端部１３５を備える。内側チューブ１０５の中心長手軸線を参照符号１３６で示す。
フィードノズルアセンブリ１００は、内側チューブ１０５の出口端部１３０に固定された第１ノズル先端１４５をも備える。ノズル先端１４０は、内側チューブ１０５の出口端部１３０に取付けられた実質的に円筒状の入口端部１４１および反対側のドーム形状の出口端部１４２を備える。ドーム形状の出口端部１４２には少なくとも１個の通路１４５を設ける。
フィードノズルアセンブリ１００は、さらに外側チューブ１１５の出口端部１３５に固定されると共に第１ノズル先端１４０の周囲に配置された第２ノズル先端１５０をも備える。第２ノズル先端１５０は、外側チューブ１１５の出口端部１３５に取付けられた実質的に円筒状の入口端部１５１、および実質的に平行な壁部１５６を有する少なくとも１個の長形スリット１５５が設けられた反対側のドーム形状の出口端部１５２をも備える（第２図参照）。第２ノズル先端１５０のドーム形状の出口端部１５２は、第１ノズル先端１４０のドーム形状の出口端部１４２の上を覆う。
内側チューブ１０５および外側チューブ１１５はスペーサスタッド３１０により固定連結される。
次いで第４Ａ、４Ｂおよび４Ｃ図を参照し、これらは特定実施例にて第１（「水蒸気」）ノズル先端１４０のドーム形状の出口端部１４２を備える。第１ノズル先端１４０には２列の通路１４５を設ける。
ドーム形状の出口端部１４２は半球形状もしくは半楕円形状を有する。
通路１４５の列の長さにわたりドーム形状の出口端部１４２のほぼ中心（図示せず）から形成される角度は好適には４５〜１２０°、好適には７５〜１０５°の範囲である。出口端部１４２が半球状である場合は中心は球体中心である一方、出口端部が半楕円状である場合は中心は楕円中心であることが了解されよう。
次いで第５Ａ、５Ｂおよび５Ｃ図を参照し、これらは特定実施例にて第２（「炭化水素供給物」）ノズル先端１５０のドーム形状の出口端部１５２を示す。第２ノズル先端１５０には２個の平行な長形スリット１５５を設ける。
ドーム形状の出口端部１５２は半球形状または半楕円形状を有する。
第２ノズル先端１５０におけるドーム形状の出口端部１５２の実質的に中心（図示せず）から長形スリット１５５の長さにわたり形成される角度は、第１ノズル先端１４０におけるドーム形状の出口端部１４２の中心から列１４５の長さにわたり形成される角度と実質的に等しい。出口端部１５２が半球状であれば中心は球中心である一方、出口端部が半楕円状であれば中心は楕円中心である。
好適にはフィードノズルアセンブリは重質石油炭化水素を接触熱分解する方法に使用される。この種の方法においては重質石油炭化水素を予熱し、水蒸気と混合し、次いで接触熱分解反応器立上り管に供給する。次いで重質石油炭化水素を熱分解触媒と接触させて軽質炭化水素を生成させ、使用済み触媒は微細なコークス層で被覆される。軽質炭化水素を反応器から除去する。微細なコークス層で被覆された使用済み触媒の１部を再生反応器に移す。次いでコークスの少なくとも１部を使用済み触媒から燃焼除去する。これは再生触媒をもたらす。
本発明によるフィードノズルアセンブリ１００の正常操作に際し、水蒸気を実質的に円筒状の内側チューブ１０５に通過させ、重質炭化水素を外側チューブ１１５の入口端部１２５に供給して環状液体導管１１６に通過させる。
通路１４５から流出する水蒸気は炭化水素中へ移動して、炭化水素混合物から噴出する水蒸気気泡の微細な２相混合物を形成する。第２ノズル先端１５０の機能は、水蒸気と重質石油炭化水素との混合物をフィードノズルアセンブリ１００から流出させることである。第２ノズル先端１５０は、水蒸気と重質石油炭化水素との混合物を接触熱分解反応器（図示せず）中へほぼ均一に噴霧するのに適する。この結果、水蒸気と重質石油炭化水素との混合物が生じ、これを接触熱分解反応器に移送する。
気体導管１０６の出口端部１４２からの通路１４５は汚染されない。重質石油供給物のコークス化による汚染は、気体導管１０６の出口端部１４２の外側を包囲する重質石油供給物の流れが冷却熱移動機能を有するので回避される。すなわち、通路１４２における温度は、水蒸気と重質石油との接触がコークス化および通路１４２の閉塞をもたらさないよう充分低い。
本発明の一面は、重質石油炭化水素を接触熱分解立上り反応器中へ供給するためのノズルアセンブリである。ノズル本体１０１を典型的には立上り反応器（図示せず）中へ水平方向、垂直方向または対角線状に配向させる。他の配向も可能である。垂直配向の場合、ノズル本体１０１は典型的には反応器の底部もしくは入口端部から上方向に延びる。垂直でない場合、ノズル本体１０は典型的には反応器の壁部中へ垂直と水平との間の配向にて突入する。異なる配向は典型的には、理想的なスプレーバターンがノズル配向に依存するため異なる出口設計を必要とする。本発明のノズルアセンブリ１００は、第２出口端部１５０の長形スリット１５５の配置を改変して所望のスプレーパターンを作成しうるため、これら任意の配向に適している。
典型的には垂直配向のノズル本体１０１の場合、長形スリット１５５は導管に適するスプレーを形成するため半月形状もしくは三日月形状または他の非直線形状である。側部流入ノズル本体１０１の場合、長形スリット１５５またはほぼ直線が第５Ａ図における直線から見られる。
第４Ａ〜４Ｃ図に示した第１ノズル先端１４０には２列の通路１４５を設け、他の実施例では１個のみの通路を存在させることもでき、或いは用途に応じ１列の通路を設けることもできる。
第５Ａ〜５Ｂ図に示した第２ノズル先端１５０には２個の平行な長形スリット１５５を設け、他の実施例においては用途に応じ１個のみのスロットを設けることもできる。
ドーム形状の出口端部１４２は典型的には、第２ノズル先端１５０の出口端部１５２における各長形スリット１５５に対応した少なくとも１個の通路１４５を備える。たとえば第２ノズル先端１５０が２個の長形スリット１５５を備えれば、第１ノズル先端１４０は少なくとも２個の対応する開口通路１４５を備える。１列の通路１４５をスリットにより代替することもできる。
典型的には、第１ノズル先端１４０における通路１４５は少なくとも１列の小穴部で構成され、これら穴部は第２ノズル先端１５０における各対応の長形スリット１５５と整列する。しかしながら第１ノズル先端１４０は、第２ノズル先端１５０における各長形スリット１５５に対応する２列以上の穴部を有することもできる。
第２ノズル先端１５０におけるドーム形状の出口端部１５２の中心から長形スリット１５５の長さにわたり形成される角度は、好ましくは第１ノズル先端１４０におけるドーム形状の出口端部１４２の中心から通路１４５の列の幅にわたり形成される角度に好ましくは実質的に等しい。
好適には外側チューブ１１５は０．０５〜０．２５ｍ（２−９インチ）または０．１〜０．２５ｍ（４−９インチ）または０．１２〜０．２ｍ（５−７インチ）の直径を有する。
第１ノズル先端１４０のドーム形状の出口端部１４２の上を覆う第２ノズル先端１５０のドーム形状の出口端部１５５の距離は、接触熱分解反応器中へ水蒸気と重質石油炭化水素との混合物をほぼ均一に噴霧するのに適する。好適には第２ノズル先端１５０のドーム形状の出口端部１５２と第１ノズル先端１４０のドーム形状の出口端部１４２との間の距離は典型的には約０．００６〜０．０３０ｍ（０．２５−１．２５インチ）の範囲である。
第１ノズル先端１４０は内側チューブ１０５の出口端部１３０に固定され、この取付けはたとえばネジ接続または熔接接続のような慣用手段により行われる。この種の接続は、外側チューブ１１５に取付けられた第２ノズル先端１５０にも適用することができる。
必要に応じ、耐浸蝕性材料を長形スリット１５５および第２ノズル先端１５０の出口端部１５０の浸蝕感受性領域にオーバーレイ１５８（第５Ｃ図）として使用する。典型的には、この種の領域は触媒粒子と接触する長形スリット１５５および出口端部１５２の部分である。この種の粒子は磨耗性であり、したがって耐浸蝕性オーバーレイは出口端部の寿命を長期化させる。この種の耐浸蝕性材料の例はコバルト、クロム、タングステンおよびモリブデンとの各種の比率における合金系列の商品名ステライトである。
次に第６図を参照して、これは第５Ｃ図に示したドーム形状の出口端部１５０の代案を示す正面図である。この実施例において、各長形スリット１５５はその１点１５７にてその壁部に沿い一体接続されて構造強度を与える。
第１〜６図を参照して説明したフィードノズルアセンブリにおいて、通路１４５の列を通るように規定される平面（図示せず）は内側チューブ１０５の中心長手軸線１３６（第１図参照）に対し実質的に平行である。さらに長形スリット１５５を通るように規定される平面（図示せず）も内側チューブ１０５の中心長手軸線１３６に対し実質的に平行である。
しかしながら、たとえば供給物の注入角度の調整が高価な装置の改変を必要とするような現在入手しうるノズル設計につき、立上り反応器の用途が存在する。したがって、フィードノズルを代替しただけで他の装置改変の必要なしに供給物注入角度を調整しうることが望ましい。
次に第７図を参照して、これは異なる尺度で描いた第４Ｂ図に示したような第１ノズルの代案ドーム形状の出口端部１４０を示す断面図である。図示した実施例において、通路１４５の列を通るように規定される平面１４６と内側チューブ（図示せず）の中心長手軸線１３６との間の角度は３〜６０°の範囲である。ノズルアセンブリが反応器中への側部突入である場合、この角度は約０°または約３〜約４５°である。フィードノズルアセンブリが底部突入である場合、角度はより大であり、たとえば約０〜約６０°、好ましくは約１５〜約４５°、或いは約２０〜約４０°または約２５〜約３５°である。底部突口配置につき、角度は典型的には水蒸気導管の長手軸線から立上り反応器の中心の方向である。出口端部における第１ノズル先端通路のための角度は、第２のズル先端の出口端部における長手スリットの角度と実質的に等しい。
さらに第８図を参照して、これは第５Ｂ図に示した第２ノズル１５０におけるドーム形状の出口端部の代案の断面図であり、ここで長形スリット１５５を通るように規定される平面１５６と内側チューブ（図示せず）の中心長手軸線１３６との間の角度は３〜６０℃の範囲である。ノズルアセンブリが反応器中への側部突入である場合、この角度は約０°または約３〜約４５°である。フィードノズルアセンブリが底部突入である場合、角度はそれより大であり、たとえば約０〜約６０°、好ましくは約１５〜約４５°、或いは約２０〜約４０°、または約２５〜約３５°である。底部突入配置の場合、角度は典型的には水蒸気導管の長手軸線から立上り反応器の中心の方向である。出口端部における長手スリットの第２ノズル先端の角度は、第１ノズル先端の出口端部における通路の角度と実質的に等しい。
典型的にはノズルアセンブリが反応器中への側部突入である場合、内側チューブの中心長手軸線と反応器の中心長手軸線との間の角度は約０°または約３〜約４５°である。
第９図を参照して、これは側部突入反応器配置の部分断面縦断面図である。本発明によるフィードノズルアセンブリ１００は反応器３９０の側壁部３８０に配置され、この側壁部は断熱材料３９５により内部ライニングされる。フィードノズルアセンブリ１００はハウジング４００を備え、ここには外側チューブ１１５と内側チューブ１０５とを配置する。図示した実施例において、内側チューブ１０５の中心長手軸線１３６と反応器３９０の中心長手軸線４１０との間の角度は４５°であり、さらにそれぞれ通路１４５の列を通るように規定される平面および長形スリット１５５を通るように規定される平面１４６および１５６と内側チューブ１０５の中心長手軸線１３６との間の角度は３０°である。
通路１４５の列を通るように規定される平面１４６と内側チューブ１０５の中心長手軸線１３６との間の角度は、長手スリット１５５を通るように規定される平面１５６と内側チューブ１０５の中心長手軸線１３６との間の角度に実質的に等しく、正常操作に際し通路１４５から流出する流体の方向が長手スリット１５５の方向へ指向するようにする。
本発明のフィードノズルアセンブリは底部突入および側部突入の供給配置立上り反応器の両者につき適している。側部流入供給配置立上り反応器を開発する過程において、必要に応じノズルおよび関連の水蒸気と供給物の導管のみを代替する。底部突入配置にて、本発明のノズルは経済的節約において特に有利である。底部突入立上り反応器を側部突入立上り反応器に改変する際に極めて高いコストが伴う。この改変は、側部突入反応器の向上性能が高改変コストにより相殺されるので非経済的となる。本発明のノズルを用い、この経済的問題が解決される。底部突入立上り反応器はまだ側部突入立上り反応器の利点を保ち続けうる。本発明のこの実施例において、供給物導管と水蒸気導管とは場合により壁部に対し平行かつ立上り反応器の内側の外周に沿って立上がる。次いで角度つき出口のノズルをそれぞれ水蒸気導管と供給物導管とに取付ける。作用において、これは側部突入を実際に用いる高価格なしに側部突入立上り反応器をシュミレートする。
次に第１０Ａ図および第１０Ｂ図を参照して、これらはヨーロッパ特許出願公開第４２３  ８７６号の公知ノズル３を示す。このノズル３は、本発明のフィードノズルアセンブリの実施例に対しその性能を比較すべく下記の例示具体例で検討する実験にて使用する。第１０Ａ図および第１０Ｂ図に示したように、公知ノズル３は炭化水素供給物のための開口端部導管７と、導管７を包囲すると共にその下流端部が閉鎖された水蒸気のための外側空間１０とを備える。外側導管７は、外側空間１０から水蒸気を通過させるための複数の側部入口８を有する。
以下、実施例により本発明をさらに説明する。例示した実施例は単に例示の目的に過ぎず、本発明の範囲を決して限定することを意図しない。
以下の実施例において、実験は第１〜５図に示した本発明によるフィードノズルアセンブリの１実施例の操作から得られた多数の性能因子を、第１０Ａおよび１０Ｂ図に示したヨーロッパ特許出願公開第４２３  ８７６号に示した公知ノズルの性能と比較すべく行った。
実験を単純化するため、水蒸気および重質石油炭化水素でなく空気および水を使用した。空気を水蒸気導管に供給すると共に、水を重質石油炭化水素の環状導管に供給した。供給速度、供給圧力および温度は各ノズルにつき実質的に同一とした。
第１表は実験の結果を示す。
第１表：公知のフィードノズルアセンブリと第１〜５図を参照して説明したフィードノズルアセンブリとの間の比較の結果
0003914569.tif 000002
0003914569.tif 000003
上記の結果に示したように、本発明のフィードノズルアセンブリは９種のカテゴリーのうち８種にて優秀な性能を示した。
同一の実験を、第７図および第８図を参照して説明したフィードノズルについても行った。第２表はその結果を示す。
0003914569.tif 000004
0003914569.tif 000005
上記結果に示したように、本発明のフィードノズルアセンブリは９種のカテゴリーのうち８種にて優秀な性能を示し、さらに本発明のフィードノズルアセンブリでは軸線外れの注入が可能である。
小液滴寸法は、表面が増加するため重要である。均一スプレーは、これが触媒の均一な利用性をもたらすので望ましい。反応器におけるスプレーの範囲は、範囲が大きくなるほど触媒との接触も大となるので重要である。スプレーの急速な広がりは、より多量の触媒との接触を得るのに必要とされる。スプレーと触媒との単一接触帯域は、触媒と供給物との接触時間を調節するのに重要である。「操作ウインドー」は、ノズルが効果的に作動しうる水蒸気と炭化水素供給物との比の範囲を意味する。正常な精製操作に際し水蒸気利用性には変動が日常的に生ずるため大きい範囲が望ましい。水蒸気流動なしの操作が全水蒸気停止の場合に有用である。水蒸気オリフィスへの急速なアクセスを示しうることは、オリフィスがしばしば遮断されるようになるため、切替時間および停止時間を減少させるのに極めて有用である。さらに、供給物と触媒との急速な混合は供給物を気化させるのに望ましい。
微細な２−相混合物は、接触熱分解反応器までフィードノズル出口を通過する。本発明によるノズルアセンブリの１利点は、たとえば２個の出口長形スリットを使用する場合、スプレーにおける２枚のシート状ファンが発生し、これらは恐らくそれらの間の減圧作用に基づき先端もしくは出口に極めて接近しながら１枚のシートまで収束する点である。すなわち、微細な噴霧が得られると共に所望の均一なスプレーパターンが達成される（すなわち、ノズル出口が直線である場合、扁平シートが得られる）。スプレーの単一シートを発生する科学的原理としての理論化は本発明の範囲を限定することを意味せず、他の説明も可能であることに注目されよう。
【図１】
0003914569.tif 000006
【図３】
0003914569.tif 000007
【図２】
0003914569.tif 000008
【図４Ａ】
0003914569.tif 000009
【図４Ｂ】
0003914569.tif 000010
【図４Ｃ】
0003914569.tif 000011
【図５Ａ】
0003914569.tif 000012
【図５Ｂ】
0003914569.tif 000013
【図５Ｃ】
0003914569.tif 000014
【図６】
0003914569.tif 000015
【図７】
0003914569.tif 000016
【図８】
0003914569.tif 000017
【図９】
0003914569.tif 000018
【図１０Ａ】
0003914569.tif 000019
【図１０Ｂ】
0003914569.tif 000020